(57)【要約】【課題】放熱機能と反射機能を積層一体構造のシートとして具備させて、省スペース化・薄膜化を図り、薄型テレビの大画面化に対応させる。【解決手段】反射機能及び拡散反射機能を備えた積層構造のバックライトユニット用シートに於て、中間層として一体に放熱用金属基材層３を、付加する。【選択図】図１
2009170326.tif 000002
【特許請求の範囲】
【請求項１】
反射機能及び拡散反射機能を具備する積層構造のバックライトユニット用シートに於て、放熱用金属基材層（３）を中間層として一体に介設したことを特徴とするバックライトユニット用シート。
【請求項２】
反射機能及び拡散反射機能を具備する積層構造のバックライトユニット用シートに於て、放熱用金属基材層（３）を中間層として一体に介設し、さらに、該金属基材層（３）よりも裏面側（Ｂ）には粘着剤層（４）と離型層（５）を積層し、かつ、該金属基材層（３）よりも表て面側（Ｆ）には上記反射機能及び拡散反射機能を発揮するための反射白色フィルム層（１）を備えていることを特徴とするバックライトユニット用シート。
【請求項３】
上記反射白色フィルム層（１）には金属蒸着層（11）が付着している請求項２記載のバックライトユニット用シート。
【請求項４】
反射機能及び拡散反射機能を具備する積層構造のバックライトユニット用シートに於て、放熱用金属基材層（３）を中間層として一体に介設し、さらに、該金属基材層（３）よりも裏面側（Ｂ）には粘着剤層（４）と離型層（５）を積層し、かつ、該金属基材層（３）よりも表て面側（Ｆ）には、順次、反射フィルム層（８）とマットフィルム層（６）を備え、上記反射機能及び拡散反射機能を発揮するよう構成したことを特徴とするバックライトユニット用シート。
【請求項５】
上記反射フィルム層（８）には金属蒸着層（12）が付着している請求項４記載のバックライトユニット用シート。
【請求項６】
反射機能及び拡散反射機能を具備する積層構造のバックライトユニット用シートに於て、放熱用金属基材層（３）を中間層として一体に介設し、さらに、該金属基材層（３）よりも裏面側（Ｂ）には粘着剤層（４）と離型層（５）を積層し、かつ、該金属基材層（３）よりも表て面側（Ｆ）には、順次、反射フィルム層（８）と反射白色フィルム層（７）を備え、上記反射機能及び拡散反射機能を発揮するよう構成したことを特徴とするバックライトユニット用シート。
【請求項７】
上記反射フィルム層（８）には金属蒸着層（12）が付着している請求項６記載のバックライトユニット用シート。
【発明の詳細な説明】
【技術分野】
【０００１】
本発明は、薄型テレビやパソコン等のバックライトユニットに用いられる積層構造のシートに関する。
【背景技術】
【０００２】
従来、薄型テレビやパソコン等のバックライトユニットでは、反射シートと放熱部材とは別々に構成されている（例えば、特許文献１参照）。
【特許文献１】特開２００５−３５２４２７号公報
【発明の開示】
【発明が解決しようとする課題】
【０００３】
ところで最近は上記薄型テレビ等の大画面化及び薄肉化が要望され、それに伴って、バックライトユニット部の一層の薄肉化（薄膜化）───省スペース化───が求められ、同時に反射機能と十分な放熱機能が求められている。
【０００４】
そこで、本発明は、このような要望に応えて、バックライトユニット部の省スペース化を図りながら、同時に、反射機能と拡散反射機能の他に十分な放熱機能を発揮できるバックライト用反射放熱シートを提供することを目的とする。
【課題を解決するための手段】
【０００５】
上記目的を達成するために、本発明は、反射機能及び拡散反射機能を具備する積層構造のバックライトユニット用シートに於て、放熱用金属基材層を中間層として一体に介設したものである。
また、反射機能及び拡散反射機能を具備する積層構造のバックライトユニット用シートに於て、放熱用金属基材層を中間層として一体に介設し、さらに、該金属基材層よりも裏面側には粘着剤層と離型層を積層し、かつ、該金属基材層よりも表て面側には上記反射機能及び拡散反射機能を発揮するための反射白色フィルム層を備えている。そして、上記反射白色フィルム層には金属蒸着層が付着しているのが望ましい。
【０００６】
また、反射機能及び拡散反射機能を具備する積層構造のバックライトユニット用シートに於て、放熱用金属基材層を中間層として一体に介設し、さらに、該金属基材層よりも裏面側には粘着剤層と離型層を積層し、かつ、該金属基材層よりも表て面側には、順次、反射フィルム層とマットフィルム層を備え、上記反射機能及び拡散反射機能を発揮するよう構成したものである。そして、上記反射フィルム層には金属蒸着層が付着しているのが望ましい。
また、反射機能及び拡散反射機能を具備する積層構造のバックライトユニット用シートに於て、放熱用金属基材層を中間層として一体に介設し、さらに、該金属基材層よりも裏面側には粘着剤層と離型層を積層し、かつ、該金属基材層よりも表て面側には、順次、反射フィルム層と反射白色フィルム層を備え、上記反射機能及び拡散反射機能を発揮するよう構成したものである。そして、上記反射フィルム層には金属蒸着層が付着しているのが望ましい。
【発明の効果】
【０００７】
本発明は、次のような著大な効果を奏する。
放熱用の金属基材層を中間層として一体に有することによって、従来別々であった放熱機能と反射機能等が一枚の積層構造に集約できて、省スペース化・薄肉化（薄膜化）を図り得る。
本発明は、最近の薄型テレビ等の大画面化と薄肉化及び構造の簡素化に貢献する反射放熱シートである。
【発明を実施するための最良の形態】
【０００８】
以下、図示の実施の形態に基づき本発明を詳説する。
図１，図２，図３は、順次、第１・第２・第３の実施の形態を示す。いずれの実施の形態にあっても、反射機能及び拡散反射機能を（従来と同様に）発揮する積層構造のバックライト用シートであり、しかも、放熱用金属基材層３を中間層として一体に介設して構成される。
【０００９】
まず、図１に示す第１の実施の形態から具体的にその構成等を説明すれば、金属基材層３よりも裏面側Ｂには粘着剤層４と離型層（セパレート層）５を順次積層している。かつ、金属基材層３よりも表て面側Ｆには、接着剤層（粘着材層）２と反射白色フィルム層１を順次積層している。この反射白色フィルム層１は、反射機能及び拡散反射機能を発揮する層である。
【００１０】
この反射白色フィルム層１につき詳しく述べると、厚さ寸法は、12μｍ〜 250μｍが好ましく、特に、38μｍ〜 188μｍが望ましい。厚さ寸法が上限値を越すと、放熱性が急に低下するためであり、また、厚さ寸法が下限値未満となると、急に反射率が低下するためである。そして、この反射白色フィルム層１の基材（材質）は、高反射率及び高拡散反射率のものが望ましく、例えば、発泡ＰＥＴ、又は、（硫酸バリウムや酸化チタン等の）白色顔料を練込んだＰＥＴが好ましい。（反射率と拡散反射率が低いと、高輝度で均一な表示ができなくなる。）具体的な反射率としては、60％以上とし、特に90％以上が望ましい。そして、拡散反射率としては、50％以上とし、特に80％以上が望ましい（ 550ｎｍ時) 。ここで、反射率を高めるために、ＡｌやＡｇ等の金属蒸着層11を反射白色フィルム層１の裏面側Ｂに付着させるのが良い。
【００１１】
次に、接着剤層２について述べる。厚さ寸法は50μｍ以下とする。接着強度が、金属基材層３と上述の反射白色フィルム層１同士をしっかりと接合して剥がれない強度である公知の材質のものであって、できるだけ薄肉（小さな厚さ寸法）が好ましい。さらに、この接着剤層２の性能として、熱伝導率の良いものが望ましく、そのために、金属粉を混入することも好ましい。
そして、金属基材層３について述べる。この金属基材層３の材質は熱伝導率の良い金属が望ましく、ＣｕやＡｌが挙げられ、さらには、二成分以上の金属を混ぜ合わせたもの（合金等）も好ましいといえる。その熱伝導率は、10Ｗ・ｍ−１・Ｋ−１以上とする。例えば、Ａｌの熱伝導率は、 236Ｗ・ｍ−１・Ｋ−１であって、望ましいといえる。この放熱用金属基材層３の厚さ寸法は、３μｍ〜 500μｍ、特に、30μｍ〜80μｍが望ましい。下限値未満となると熱伝導性能が低減するからであり、逆に、上限値を越すと作業性の低下が懸念される。
【００１２】
次に、粘着剤層４について述べると、金属基材層４に対して密着性の良いもので、金属を腐食させない材質のものを選ぶ。密着が悪いと粘着剤の転着が起こり、リワーク性が無くなる。その強度は、１Ｎ／25mm以上（ＪＩＳ  Ｚ  ０２３７ vs ＳＵＳ）とし、被着体に対してリワーク性があっても良く、また、熱伝導率の良いものが望ましく、金属粉を混入するも望ましい。その厚さ寸法は、 100μｍ以下とする。これを越すと熱伝導率性が低下する。
【００１３】
また、離型層５について述べると、厚さ寸法は、３μｍ〜 500μｍのＰＥＴ等の樹脂フィルムに離型処理を施したもの、あるいは、各種の紙、若しくは、各種の紙とコーティング層の積層体に、離型処理を施したもの等が、用いられる。特に、エンボス加工により表面に微細な多数の凹溝や、凹凸部を形成して、リワーク性と作業性を改善したものが好ましい。
【００１４】
次に、第２の実施の形態（図２）について説明する。
放熱用金属基材層３を中間層として一体積層構造として有する点、及び、裏面側Ｂには粘着剤層４と離型層５を積層している点は、第１の実施の形態（図１）と同様であり、かつ、金属基材層３，粘着剤層４，離型層５についての厚さ寸法、材質、その他の特性は、第１の実施の形態（図１）と同一である。
【００１５】
しかしながら、金属基材層３の表て面側Ｆの積層構造が相違している。即ち、金属基材層３よりも表て面側Ｆには、順次、反射フィルム層８とマットフィルム層６を備え、反射機能及び拡散機能を発揮するよう構成されている。
さらに具体的には、金属基材層３の表て面側Ｆに、接着剤層２を介して反射フィルム層８が積層され、かつ、別の接着剤層２を介してマットフィルム層６が最外表面に積層（配設）されている。反射フィルム層８には金属蒸着層12が付着しているのが、望ましい。
接着剤層２，２に関しては、第１の実施の形態（図１と）同一であるので説明を省略する。
【００１６】
反射フィルム層８は、透明の樹脂フィルム、又は、白色ＰＥＴ等の白色の樹脂フィルムから成り、厚さ寸法は12μｍ〜 250μｍに設定するが、可能な限り薄い方が、放熱性を高く維持する上で望ましい。この反射フィルム層８の表て面側Ｆ（図２参照）にＡｇ又はＡｌ等の金属蒸着層12を付着し、又は、図示省略するが、反射フィルム層８の裏面側Ｒに金属蒸着層12を付着するのが、望ましい。この金属蒸着層12は、最表面基材のマットフィルム層６を透過した光の反射を行う作用をなす。
【００１７】
そして、マットフィルム層６について述べると、樹脂フィルムにエンボス加工や練込み等の加工によって、光拡散性を有し、例えば、Ｈａｚｅが20％以上で、光を吸収せず、反射率を低下させないものが良い。さらに、厚さ寸法は、３μｍ〜 500μｍとする。上限値を越すと放熱性が急に低下するという問題があり、逆に、下限値未満であると拡散性が急激に低下する。
その他、図２に於て図１と同一符号は同様の構成であって、重複説明を省略する。また、図２の蒸着層12は図１の蒸着層11と同様の構成とする。
【００１８】
次に、第３の実施の形態（図３）について説明する。
放熱用金属基材層３を中間層として一体積層構造として有する点、及び、裏面側Ｂには粘着剤層４と離型層５を積層している点は、第１の実施の形態（図１）と同様であり、かつ、金属基材層３，粘着剤層４，離型層５についての厚さ寸法、材質、その他の特性は、第１の実施の形態（図１）と同一である。
【００１９】
しかしながら、金属基材層３の表て面側Ｆの積層構造が相違している。即ち、金属基材層３よりも表て面側Ｆには、順次、反射フィルム層８と反射白色フィルム層７を備え、反射機能及び拡散反射機能を発揮する。
さらに、具体的には、金属基材層３の表て面側Ｆに、接着剤層２を介して反射フィルム層８が積層され、かつ、別の接着剤層２を介して反射白色フィルム層７が最外表面に積層（配設）されている。反射フィルム層８には金属蒸着層12が付着しているのが、望ましい。
接着剤層２，２に関しては、第１の実施の形態（図１）と同一であるので説明を省略する。
【００２０】
反射フィルム層８は、透明の樹脂フィルム、又は、白色ＰＥＴ等の白色の樹脂フィルムから成り、厚さ寸法は12μｍ〜 250μｍに設定するが、可能な限り薄い方が、放熱性を高く維持する上で望ましい。この反射フィルム層８の表て面側Ｆ（図３参照）にＡｇ又はＡｌ等の金属蒸着層12を付着し、又は、図示省略するが、反射フィルム層８の裏面側Ｂに金属蒸着層12を付着するのが、望ましい。この金属蒸着層12は、最表面基材の反射白色フィルム層７を透過した光の反射を行う作用をなす。
【００２１】
次に、反射白色フィルム層７について説明すれば、図１で説明した反射白色フィルム層７と同様の構成であり、図１の金属蒸着層11は存在しない（付着させない）。
つまり、この反射白色フィルム層７は、厚さ寸法は、12μｍ〜 250μｍが好ましく、特に、38μｍ〜 188μｍが望ましい。厚さ寸法が上限値を越すと、放熱性が急に低下するためであり、また、厚さ寸法が下限値未満となると、急に反射率が低下するためである。そして、この反射白色フィルム層７の基材（材質）は、高反射率及び高拡散反射率のものが望ましく、例えば、発泡ＰＥＴ、又は、（硫酸バリウムや酸化チタン等の）白色顔料を練込んだ。ＰＥＴが好ましい。（反射率と拡散反射率が低いと、高輝度で均一な表示ができなくなる。）具体的な反射率としては、60％以上とし、特に90％以上が望ましい。そして、拡散反射率としては、50％以上とし、特に80％以上が望ましい（ 550ｎｍ時) 。
その他、図３に於て、図１，図２と同一符号は同様の構成であって、重複説明を省略する。
【００２２】
ところで、薄型テレビ等に使用される際には、離型層５が剥離除去され、露出した粘着剤層４を相手面に押圧して粘着する。このように、本発明は、ＣＣＦＬ等のバックライトユニットに使用される片面粘着タイプの積層構造の粘着シートであって、高反射率及び高拡散反射率を有している。しかも、金属基材層３をベースに用いており、ＣＣＦＬ等からの熱を系外に有効に排出できる。転合させることで単一の（積層一体構造の）シートに於て、反射層と放熱層の両方を具備するため、薄膜化（薄肉化）を図り、省スペースで反射放熱の効果を奏する。
【００２３】
なお、離型層５に多数の凹凸模様をエンボス加工しておけば、離型層５を剥離すると粘着剤層４の裏面側Ｂには、エアを排出する微細な多数の溝が形成されて、大型（大画面）のバックライトユニット等にもエアの噛み込みを生ずることがなく、均一に貼着できる。
【図面の簡単な説明】
【００２４】
【図１】本発明の第１の実施の形態を示す拡大要部断面である。
【図２】本発明の第２の実施の形態を示す拡大要部断面である。
【図３】本発明の第３の実施の形態を示す拡大要部断面である。
【符号の説明】
【００２５】
１  反射白色フィルム層
２  接着剤層（粘着剤層）
３  金属基材層
４  粘着剤層
５  離型層
６  マットフィルム層
７  反射白色フィルム層
８  反射フィルム層
11, 12  金属蒸着（層）
Ｂ  裏面側
Ｆ  表て面側
【図１】
2009170326.tif 000003
【図２】
2009170326.tif 000004
【図３】
2009170326.tif 000005